(57)【要約】本発明の一実施の形態によるランプモジュールは、両端に電極端子が備えられたランプと、上記ランプの電極端子が支持されるように、上記ランプの両端に結合される第１及び第２ブラケットを含むブラケット部と、上記ランプ及び上記ブラケット部が挿入結合され、上記第１ブラケットの一面が外部に露出するように中空部が備えられたカバーガラスと、を含み、上記第１ブラケットには、上記カバーガラスの内部と外部とを連通させる連通部が備えられることができる。
2018534743.tif 000002
【特許請求の範囲】
【請求項１】
両端に電極端子が備えられたランプと、
前記ランプの電極端子が支持されるように、前記ランプの両端に結合される第１及び第２ブラケットを含むブラケット部と、
前記ランプ及び前記ブラケット部が挿入結合され、前記第１ブラケットの一面が外部に露出するように中空部が備えられたカバーガラスと、を含み、
前記第１ブラケットには、前記カバーガラスの内部と外部とを連通させる連通部が備えられる、ランプモジュール。
【請求項２】
前記連通部は、前記第１ブラケットの一面から内側に引き込まれる側壁部と、前記側壁部の下部から前記第１ブラケットの一面に向かって突出し、且つ端部にはスリットが備えられる開閉部と、を含む、請求項１に記載のランプモジュール。
【請求項３】
前記スリットは、前記カバーガラスの内部の空気が膨張する際に開放される、請求項２に記載のランプモジュール。
【請求項４】
前記開閉部の端部は、前記第１ブラケットの一面よりも低く備えられる、請求項２に記載のランプモジュール。
【請求項５】
前記開閉部は、前記側壁部の下部から前記第１ブラケットの一面に向かって、内部断面積が減少するように傾斜して備えられる、請求項２に記載のランプモジュール。
【請求項６】
前記第１ブラケットには、前記ランプの電極端子が通過する結合孔が備えられる、請求項１に記載のランプモジュール。
【請求項７】
前記第１ブラケットには電線通過孔が備えられる、請求項１に記載のランプモジュール。
【請求項８】
前記第２ブラケットの内面には、前記ランプの電極端子を支持するように支持隔壁が突出して備えられる、請求項１に記載のランプモジュール。
【請求項９】
前記支持隔壁は複数個が離隔するように備えられ、前記複数個の支持隔壁の間には電線配置空間が備えられる、請求項８に記載のランプモジュール。
【請求項１０】
前記カバーガラスの開放された一端に結合されるキャップ部材をさらに含む、請求項１に記載のランプモジュール。
【請求項１１】
前記キャップ部材が結合されるガイド部と、
前記ガイド部の一側に結合され、前記キャップ部材をスライド移動させる駆動部と、
前記ガイド部の他側に結合され、前記カバーガラスが通過するガイドホールが備えられる洗浄部と、をさらに含む、請求項１０に記載のランプモジュール。
【請求項１２】
前記洗浄部には、外部の原水と連結され、前記カバーガラスの外面に洗浄水を噴射する洗浄コネクタが備えられる、請求項１１に記載のランプモジュール。
【請求項１３】
内部空間が備えられる本体と、
前記内部空間に、前後にスライド移動可能に備えられる請求項１から１２の何れか一項に記載のランプモジュールと、
前記内部空間に前記ランプモジュールと離隔して備えられ、洗浄水を噴射するノズルアセンブリと、
前記本体の一側に結合され、前記ランプモジュール及び前記ノズルアセンブリを制御する操作部と、を含む、ビデ装置。
【発明の詳細な説明】
【技術分野】
【０００１】
本発明は、ランプモジュール及びこれを含むビデ装置に関するものである。
【背景技術】
【０００２】
一般に、温熱治療器は、温熱又は赤外線をユーザーの体の局部に放射して温熱治療機能を行うものであって、最近では、このような温熱治療器による血液循環の改善などの効果により、温熱治療器を使用するユーザーが増加している傾向にある。
【０００３】
特に、肛門疾患や産後患部などの治療及び手術後に温熱治療を行う場合、痛みが減少するという効果があり、血液循環がよくなって回復時間が短縮されるという効果を奏する。
【０００４】
したがって、ユーザーの臀部に対して温熱治療を容易に行うことができるように、最近では、ビデ装置にも、かかる温熱治療機能を備えている傾向にある。
【０００５】
かかるビデ装置に備えられる温熱治療器の一環として、ランプを用いた温熱治療装置が使用されている。
【０００６】
但し、ランプを用いた温熱治療装置の場合、ランプモジュール内部の温度が上昇して内部の空気が膨張し、ランプを包み込むカバーガラスに繰り返し外力が作用することが原因で、耐久性が弱くなるという問題があった。
【０００７】
また、外部の水分がランプモジュール内部に浸透して誤作動を誘発するという問題もあった。
【０００８】
したがって、カバーガラスの耐久性を向上させ、外部からの水分の浸透を防止することができるランプモジュールに関する研究が求められているのが実情である。
【発明の概要】
【発明が解決しようとする課題】
【０００９】
本発明の目的は、ランプモジュールの耐久性及び防湿性能を向上させることである。
【課題を解決するための手段】
【００１０】
本発明の一実施の形態によるランプモジュールは、両端に電極端子が備えられたランプと、上記ランプの電極端子が支持されるように、上記ランプの両端に結合される第１及び第２ブラケットを含むブラケット部と、上記ランプ及び上記ブラケット部が挿入結合され、上記第１ブラケットの一面が外部に露出するように中空が備えられたカバーガラスと、を含み、上記第１ブラケットには、上記カバーガラスの内部と外部を連通させる連通部が備えられることができる。
【００１１】
本発明の一実施の形態によるランプモジュールにおいて、上記連通部は、第１ブラケットの一面から内側に引き込まれる側壁部と、上記側壁部の下部から上記第１ブラケットの一面に向かって突出し、且つ端部にはスリットが備えられた開閉部と、を含むことができる。
【００１２】
本発明の一実施の形態によるランプモジュールにおいて、上記スリットは、上記カバーガラスの内部の空気が膨張する際に開放されることができる。
【００１３】
本発明の一実施の形態によるランプモジュールにおいて、上記開閉部の端部は、上記第１ブラケットの一面よりも低く備えられることができる。
【００１４】
本発明の一実施の形態によるランプモジュールにおいて、上記開閉部は、上記側壁部の下部から上記第１ブラケットの一面に向かって、内部断面積が減少するように傾斜して備えられることができる。
【００１５】
本発明の一実施の形態によるランプモジュールにおいて、上記第１ブラケットには、上記ランプの電極端子が通過する結合孔が備えられることができる。
【００１６】
本発明の一実施の形態によるランプモジュールにおいて、上記第１ブラケットには、電線通過孔が備えられることができる。
【００１７】
本発明の一実施の形態によるランプモジュールにおいて、上記第２ブラケットの内面には、上記ランプの電極端子を支持するように支持隔壁が突出して備えられることができる。
【００１８】
本発明の一実施の形態によるランプモジュールにおいて、上記支持隔壁は、複数個が離隔するように備えられ、上記複数個の支持隔壁の間には、電線配置空間が備えられることができる。
【００１９】
本発明の一実施の形態によるランプモジュールにおいて、上記カバーガラスの開放された一端に結合されるキャップ部材をさらに含むことができる。
【００２０】
本発明の一実施の形態によるランプモジュールにおいて、上記キャップ部材が結合されるガイド部と、上記ガイド部の一側に結合され、上記キャップ部材をスライド移動させる駆動部と、上記ガイド部の他側に結合され、上記カバーガラスが通過するガイドホールが備えられる洗浄部と、をさらに含むことができる。
【００２１】
本発明の一実施の形態によるランプモジュールにおいて、上記洗浄部には、外部の原水と連結され、上記カバーガラスの外面に洗浄水を噴射する洗浄コネクタが備えられることができる。
【００２２】
本発明の他の実施の形態によるビデ装置は、内部空間が備えられる本体と、上記内部空間に、前後にスライド移動可能に備えられる本発明の一実施の形態によるランプモジュールと、上記内部空間に上記ランプモジュールと離隔して備えられ、洗浄水を噴射するノズルアセンブリと、上記本体の一側に結合され、上記ランプモジュール及び上記ノズルアセンブリを制御する操作部と、を含むことができる。
【発明の効果】
【００２３】
本発明の実施形態によれば、ランプモジュールの耐久性及び防湿性能を向上させることができる。
【図面の簡単な説明】
【００２４】
【図１】（ａ）及び（ｂ）は本発明の一実施の形態によるビデ装置の概略断面図である。
【図２ａ】本発明の一実施の形態によるランプモジュールの斜視図である。
【図２ｂ】本発明の一実施の形態によるランプモジュールの底面斜視図である。
【図３】本発明の一実施の形態によるランプ部の拡大図である。
【図４】本発明の一実施の形態によるランプ部の分解斜視図である。
【図５】本発明の一実施の形態によるランプ部におけるランプとブラケット部の結合関係を示す分解斜視図である。
【図６】（ａ）は図３のＡ−Ａ’に沿った断面斜視図であり、（ｂ）は図３のＡ−Ａ’に沿った断面図である。
【図７】（ａ）は本発明の一実施の形態による第１ブラケットの拡大図であり、（ｂ）は図７（ａ）のＢ−Ｂ’に沿った断面斜視図である。
【図８】本発明の一実施の形態による第１ブラケットの平面図である。
【図９】本発明の一実施の形態による第１ブラケットの概略動作図である。
【図１０】本発明の一実施の形態による第２ブラケットの平面図である。
【発明を実施するための形態】
【００２５】
本発明の詳細な説明に先立ち、以下で説明される本明細書及び特許請求の範囲で使用される用語や単語は、通常的であるか又は辞書的な意味に限定して解釈されるものではなく、発明者が自身の発明を最善の方法で説明するための用語の概念で適切に定義することができる原則に即して、本発明の技術的思想に符合する意味と概念に解釈されるべきである。したがって、本明細書に記載された実施形態及び図面に示された構成は、本発明の最も好ましい実施形態に過ぎず、本発明の技術的思想をすべて代弁するものではないため、本出願時点においてこれらを代替することができる様々な均等物及び変形例があり得ることを理解すべきである。
【００２６】
以下、添付された図面を参照して、本発明の好ましい実施の形態を詳細に説明する。この際、添付された図面において、同一の構成要素に対しては、できる限り同一の符号で示している点に注意しなければならない。また、本発明の要旨を不明にする可能性がある公知の機能や構成についての詳細な説明は、省略することができる。同様の理由から、添付の図面において、いくつかの構成要素は誇張又は省略され、あるいは概略的に図示されており、各構成要素のサイズは実際のサイズを完全に反映するものではない。
【００２７】
図１（ａ）及び（ｂ）は本発明の一実施の形態によるビデ装置１０００の概略断面図である。図１（ａ）及び（ｂ）を参照すると、本発明の一実施の形態によるビデ装置１０００は、本体１００、ランプモジュール２００、ノズルアセンブリ１４０、及び操作部１３０を含むことができる。
【００２８】
本体１００は、便座の上部に固定装着される部材であって、内部空間を含み、本体１００の内部空間には、ランプモジュール２００、ノズルアセンブリ１４０、乾燥装置１５０などという、ビデ装置１０００の機能を実現するために必要な各種部品が備えられることができる。
【００２９】
ノズルアセンブリ１４０は、ランプモジュール２００と所定間隔離隔して備えられ、本体１００に前後にスライド移動可能に備えられる。上記ノズルアセンブリ１４０は、前方に移動して、ユーザーの体の局部に洗浄水を噴射することができる。また、乾燥装置１５０は、ノズルアセンブリ１４０の駆動後に動作して、ユーザーの体の局部を乾燥させる役割を果たすことができる。
【００３０】
ビデ装置１００において、ノズルアセンブリ１４０及び乾燥装置１５０の構成は、一般的な構成に対応するため、詳細な説明を省略する。
【００３１】
本体１００には、座板１２０が回転可能にヒンジ結合されることができ、ユーザーは、必要に応じて、上記座板１２０を便座に据え付けるか、又は便座の上部へ持ち上げて使用することができる。
【００３２】
一方、本体１００の一側には、ノズルアセンブリ１４０、乾燥装置１５０、及び後述するランプモジュール２００などを制御するための、操作部１３０が結合されることができる。操作部１３０には、多数のボタンが提供されることができ、ユーザーは、必要に応じて、操作部１３０のボタンを押すことで、ビデ装置１０００の駆動を制御することができる。
【００３３】
以下では、本体１００の内部に備えられるランプモジュール２００の詳細構成について説明する。
【００３４】
図２ａは本発明の一実施の形態によるランプモジュール２００の斜視図であり、図２ｂは本発明の一実施の形態によるランプモジュール２００の底面斜視図である。図２ａ及び図２ｂを参照すると、ランプモジュール２００は、ランプ部２０１、ガイド部２８１、駆動部２８２、及び洗浄部２８３を含むことができる。
【００３５】
ガイド部２８１は、本体１００の内部空間に固定装着されることができ、ランプ部２０１は、ガイド部２８１にスライド移動可能に結合されることができる。一例として、上記ランプ部２０１のキャップ部材２８０が、上記ガイド部にスライド移動可能に結合されることができる。
【００３６】
ガイド部２８１の一側には駆動部２８２が結合されることができる。また、上記駆動部２８２は、ケーブルなどを介してランプ部２０１のキャップ部材２８０に連結されることができる。この際、上記駆動部２８２が駆動される場合、ケーブルが駆動部２８２に巻き取られるか、又は引き出されることができる。これにより、ランプ部２０１は、ケーブルを介して前後にスライド移動することが可能となる。ここで、上記駆動部２８２は、一例として、モータとして備えられることができる。
【００３７】
一方、ガイド部２８１の他側には洗浄部２８３が備えられることができる。洗浄部２８３には、ランプ部２０１のカバーガラス２７０が通過するガイドホール２８３ａが備えられる。上記カバーガラス２７０は、スライド移動時に、ガイドホール２８３ａを通過することができる。
【００３８】
洗浄部２８３には、外部の原水に連結され、上記カバーガラス２７０の外面に洗浄水を噴射する洗浄コネクタ２８３ｂが備えられることができる。
【００３９】
上記カバーガラス２７０は、本体１００の外部に移動して動作するため、異物が付着するおそれがある。したがって、カバーガラス２７０が後方に移動する際に、上記洗浄コネクタ２８３ｂがカバーガラス２７０の外面に洗浄水を噴射することにより、清潔を保つことができる。
【００４０】
図３は本発明の一実施の形態によるランプ部２０１の拡大図であり、図４は本発明の一実施の形態によるランプ部２０１の分解斜視図であり、図５は本発明の一実施の形態によるランプ部２０１におけるランプ２１０とブラケット部２３０の結合関係を示す分解斜視図であり、図６は（ａ）及び（ｂ）がそれぞれ図３のＡ−Ａ’に沿った断面斜視図及び断面図である。
【００４１】
図３〜図６を参照すると、本発明の一実施の形態によるランプモジュール２００に備えられるランプ部２０１は、ランプ２１０、ブラケット部２３０、カバーガラス２７０、及びキャップ部材２８０を含むことができる。
【００４２】
ランプ２１０はユーザーの体の局部に温熱及び赤外線を放射するために備えられる。また、上記ランプ２１０の両端には、電力の供給を受けるための電極端子２１１が備えられる。
【００４３】
ブラケット部２３０は、上記電極端子２１１が支持されるように、上記ランプ２１０の両端に結合されることができる。一例として、上記ブラケット部２３０は、電極端子２１１に結合され、且つカバーガラス２７０との結合時に、一面が外部に露出する第１ブラケット２４０と、電極端子２１１に結合され、且つカバーガラス２７０との結合時に、上記カバーガラス２７０の内部に配置される第２ブラケット２５０と、を含むことができる。
【００４４】
図４を基準に、第１ブラケット２４０は、ランプ２１０の上部に備えられる電極端子２１１に結合され、第２ブラケット２５０は、ランプ２１０の下部に備えられる電極端子に結合される。ここで、上部及び下部は、図面に示されたものを基準に表現したものでり、対象の方向が変更されると別の方法で表現することができる。
【００４５】
ブラケット部２３０は、ランプ２１０をカバーガラス２７０の内側から支持するとともに、ランプ２１０の電極端子２１１と連結された電線の配線整理を容易にするために備えられることができる。ブラケット部２３０についての詳細な説明は後述する。
【００４６】
ランプ２１０は、両端にブラケット部２３０が結合された状態で、カバーガラス２７０に挿入結合されることができる。このため、上記カバーガラス２７０には、中空部２７０ａが備えられることができる。
【００４７】
ランプ２１０がカバーガラス２７０に挿入される場合、第１ブラケット２４０の一面は外部に露出することができ、第２ブラケット２５０はカバーガラス２７０の内部に配置されることができる。
【００４８】
ここで、第１ブラケット２４０の外周面とカバーガラス２７０の内周面とが接触してランプ２１０を支持することができ、第２ブラケット２５０の外周面は、カバーガラス２７０の内周面と所定間隔離隔するように備えられることができる。この際、第１ブラケット２４０の下部には、パッキン部材２４４が備えられることで、第１ブラケット２４０の外周面とカバーガラス２７０の内周面との間に水分が浸透する現象を防止することができる。
【００４９】
カバーガラス２７０の開放された一端にはキャップ部材２８０が結合されることができ、上記キャップ部材２８０は、前述したガイド部２８１にスライド移動可能に結合される。したがって、ランプ部２０１は、キャップ部材２８０を介してガイド部２８１にスライド移動可能に結合されることができる。
【００５０】
一方、ランプ２１０の電極端子２１１には、外部電源（図示せず）と連結されることで、電力を供給する電線（図示せず）が結合されることができる。
【００５１】
電線は、ランプ２１０の両端に備えられる電極端子２１１のそれぞれに結合されることができる。ここで、第１ブラケット２４０には、電極端子２１１が貫通結合される結合孔２４０ａが備えられる。したがって、第１ブラケット２４０に結合される電極端子２１１の場合、電線は、第１ブラケット２４０を貫通した電極端子２１１と連結されて、キャップ部材２８０の電線引出孔２８０ａに引き出されることができる。
【００５２】
第２ブラケット２５０に結合される電極端子２１１と結合される電線の場合には、第２ブラケット２５０と電極端子２１１との間に備えられる電線配置空間２５２を介して、第１ブラケット２４０が備えられる方向に先に引き出された後、第１ブラケット２４０の電線通過孔２４０ｂを通過して、最終的に電線引出孔２８０ａに引き出される。
【００５３】
上記のように、第２ブラケット２５０には、電線配置空間２５２が備えられ、第１ブラケット２４０には、電線通過孔２４０ｂが備えられるため、本発明の一実施の形態によるランプモジュール２００の場合、配線の整理が容易になるという効果を奏する。
【００５４】
図７は、（ａ）が本発明の一実施の形態による第１ブラケットの拡大図であり、（ｂ）が（ａ）のＢ−Ｂ’に沿った断面斜視図である。また、図８は本発明の一実施の形態による第１ブラケットの平面図であり、図９は本発明の一実施の形態による第１ブラケットの概略動作図である。
【００５５】
以下では、図７及び図８を参照して、本発明の一実施の形態によるランプモジュール２００に備えられる第１ブラケット２４０の詳細構成について説明する。
【００５６】
第１ブラケット２４０には、ランプ２１０の電極端子２１１が挿入結合される結合孔２４０ａが備えられることができる。電極端子２１１は、上記結合孔２４０ａに挿入結合されて、一部が外部に露出することができる。
【００５７】
また、第１ブラケット２４０には電線通過孔２４０ｂが備えられることができる。第２ブラケット２５０に結合される電極端子２１１と結合された電線は、上記電線通過孔２４０ｂを通過して電線引出孔２８０ａ（図６を参照）に引き出されることができる。
【００５８】
一方、第１ブラケット２４０には、カバーガラス２７０の内部と外部を連通させる連通部２４１が備えられることができる。
【００５９】
一例として、上記連通部２４１は、第１ブラケット２４０の一面から内側に引き込まれて備えられる側壁部２４２と、上記側壁部２４２の下部から上記第１ブラケット２４０の一面に向かって突出し、且つ端部にはスリット２４３ａが備えられた開閉部２４３と、を含むことができる。
【００６０】
ここで、上記開閉部２４３は、上記側壁部２４２の下部から上記第１ブラケット２４０の一面に向かって内部断面積が減少するように傾斜して備えられることができる。一例として、上記開閉部２４３の内部断面の直径（Ｌ）は、側壁部２４２の下部から上部に行くほど減少することができる。
【００６１】
また、上記開閉部２４３の端部は、上記第１ブラケット２４０の一面より低く備えられることで、第１ブラケット２４０の組立時に破損する現象を防止することができる。
【００６２】
一方、上記スリット２４３ａを介してカバーガラス２７０の内部の空気は外部に排出されることができる。以下では、図９を参照して、スリット２４３ａを介してカバーガラス２７０の内部の空気が外部に排出される過程を簡単に説明する。
【００６３】
図９（ａ）には、ランプモジュールの動作前、すなわち、カバーガラス２７０の内部の空気が加熱される前の第１ブラケット２４０の状態が示されている。
【００６４】
図９を参照すると、カバーガラス２７０の内部の空気が加熱される前のスリット２４３ａは、互いに密着しているか、又は微小間隔を維持する。
【００６５】
図９（ｂ）には、ランプモジュールの動作後、すなわち、ランプによってカバーガラス２７０の内部の空気が加熱された場合の第１ブラケット２４０の状態が示されている。
【００６６】
カバーガラス２７０の内部の空気が加熱されると、空気の膨張により、開閉部２４３は、空気の圧力を受けるようになり、その結果、スリット２４３ａの間隔が広がり、スリット２４３ａは開放される。上記広くなった間隔により、カバーガラス２７０の内部の加熱された空気は外部に排出される。
【００６７】
結果的に、連通部２４１により、加熱された内部の空気を外部に排出することで、空気膨張によりカバーガラス２７０に加わる外力を減少させることができ、カバーガラス２７０の耐久性を向上させることができる。
【００６８】
図１０は本発明の一実施の形態による第２ブラケット２５０の平面図である。図１０を参照すると、第２ブラケット２５０の内面には、ランプ２１０（図６参照）の電極端子２１１（図６参照）を支持するように支持隔壁２５１が突出して備えられることができる。この際、上記支持隔壁２５１は、複数個が離隔するように備えられ、その結果、支持隔壁２５１の間には電線配置空間２５２が備えられることができる。
【００６９】
また、第２ブラケット２５０の内部底面には、間隔保持部２５３が突出して備えられることができる。すなわち、上記支持隔壁２５１及び間隔保持部２５３により、第２ブラケット２５０の内面と電極端子２１１の間には、電線が配置され得る電線配置空間２５２が形成されることができる。したがって、第２ブラケット２５０に結合される電極端子２１１と連結された電線は、上記電線配置空間２５２を介して、第１ブラケット２４０が備えられた方向に引き出されることができ、第１ブラケット２４０に備えられる電線通過孔２４０ｂを通過して最終的に引き出されることができる。したがって、ランプ２１０に連結される電線の配線整理が容易になるという効果を奏する。
【００７０】
以上、本発明の実施形態について詳細に説明したが、本発明の範囲はこれに限定されず、特許請求の範囲に記載された本発明の技術的思想から外れない範囲内で様々な修正及び変形が可能であるということは、当技術分野の通常の知識を有する者には明らかである。
【符号の説明】
【００７１】
１００：本体、１３０：操作部、１４０：ノズルアセンブリ、２００：ランプモジュール、２１０：ランプ、２１１：電極端子、２３０：ブラケット部、２４０：第１ブラケット、２４０ａ：結合孔、２４０ｂ：電線通過孔、２４１：連通部、２４２：側壁部、２４３：開閉部、２４３ａ：スリット、２５０：第２ブラケット、２５１：支持隔壁、２５２：電線配置空間、２７０：カバーガラス、２７０ａ：中空部、２８０：キャップ部材、２８１：ガイド部、２８２：駆動部、２８３：洗浄部、２８３ａ：ガイドホール、２８３ｂ：洗浄コネクタ、１０００：ビデ装置
【図１（ａ）】
2018534743.tif 000003
【図１（ｂ）】
2018534743.tif 000004
【図２ａ】
2018534743.tif 000005
【図２ｂ】
2018534743.tif 000006
【図３】
2018534743.tif 000007
【図４】
2018534743.tif 000008
【図５】
2018534743.tif 000009
【図６（ａ）】
2018534743.tif 000010
【図６（ｂ）】
2018534743.tif 000011
【図７（ａ）】
2018534743.tif 000012
【図７（ｂ）】
2018534743.tif 000013
【図８】
2018534743.tif 000014
【図９（ａ）】
2018534743.tif 000015
【図９（ｂ）】
2018534743.tif 000016
【図１０】
2018534743.tif 000017
【国際調査報告】
2018534743.tif 000018
2018534743.tif 000019
2018534743.tif 000020
2018534743.tif 000021